(57)【特許請求の範囲】
【請求項１】
支持シート（２）と、液吸収層（３）と、前記液吸収層（３）を覆う透液性シート（４）と、受液側表面の幅方向の両側に基端（５ｂ，５ｄ）が接合されて縦方向へ延び自由端（５ｃ）が受液側表面から離れて位置する防漏側壁（５）とが設けられている吸収性物品（１）において、
前記防漏側壁（５）には、前記自由端（５ｃ）に沿って設けられて弾性収縮力を発揮する弾性材（１２）と、前記防漏側壁（５）の縦方向の両端側から縦方向の中間位置に向かうにしたがって前記基端（５ｂ，５ｄ）側から前記自由端（５ｃ）側へ接近する収縮作用線（Ｌ１）を形成する弾性材（１１）とが設けられており、
前記防漏側壁（５）の縦方向の両端部は、前記自由端（５ｃ）が幅方向の外側に向けられて受液側表面に接合されていることを特徴とする吸収性物品。
【請求項２】
支持シート（２）と、液吸収層（３）と、前記液吸収層（３）を覆う透液性シート（４）と、受液側表面の幅方向の両側に基端（５ｂ，５ｄ）が接合されて縦方向へ延び自由端（５ｃ）が受液側表面から離れて位置する防漏側壁（５）とが設けられている吸収性物品（１）において、
前記防漏側壁（５）には、前記自由端（５ｃ）に沿って設けられて弾性収縮力を発揮する弾性材（１２）と、前記防漏側壁（５）の縦方向の両端側から縦方向の中間位置に向かうにしたがって前記自由端（５ｃ）側から前記基端（５ｂ，５ｄ）側へ接近する収縮作用線（Ｌ３）を形成する弾性材（１４）とが設けられており、
前記防漏側壁（５）の縦方向の両端部は、前記自由端（５ｃ）が幅方向の外側に向けられて受液側表面に接合されていることを特徴とする吸収性物品。
【請求項３】
前記収縮作用線（Ｌ１，Ｌ３）は、前記縦方向に向けて湾曲している請求項１または２記載の吸収性物品。
【請求項４】
前記自由端（５ｃ）に設けられた弾性材（１２）の弾性収縮力が、前記収縮作用線（Ｌ１，Ｌ３）を形成する弾性材（１１，１４）の弾性収縮力より大きい請求項１ないし３のいずれかに記載の吸収性物品。
【請求項５】
前記防漏側壁（５）では、前記収縮作用線（Ｌ１）と前記基端（５ｂ，５ｄ）との間で、前記縦方向に沿う弾性収縮力を発揮する他の弾性材（１３）が設けられ、前記防漏側壁（５）の縦方向両端部は、その自由端（５ｃ）が幅方向の外側へ向けられ、且つ前記他の弾性材（１３）を有する部分が幅方向の外側に向けられるように多重に畳まれた状態で、受液側表面に接合されている請求項１記載の吸収性物品。
【発明の詳細な説明】
【０００１】
【発明の属する技術分野】
本発明は、主に経血などの排泄液を吸収保持する吸収性物品に係わり、特に受液側において幅方向の両側に防漏側壁が設けられた吸収性物品に関する。
【０００２】
【従来の技術】
従来、生理用ナプキン、尿取りパッド、使い捨ておむつなどの吸収性物品が種々開発されている。これらの吸収性物品では、着用中において排泄液を液吸収層で確実に吸収し、排泄液が吸収性物品の外へ漏れないようにすることが求められる。そこで、吸収性物品の受液側表面において幅方向の両側に縦方向に延びる防漏側壁を形成したものがある。
【０００３】
従来の前記防漏側壁の構造は、吸収性物品のトップシート上に縦方向に延びる非伸縮性の疎水性シートが接合されており、この疎水性シートに、吸収性物品の縦方向に延びる弾性部材が接合されたものが一般的である。前記弾性部材の縦方向の弾性収縮力により、吸収性物品に縦方向に向かう湾曲力が作用するとともに、前記防漏側壁が吸収性物品の受液側に立ち上がり、これにより経血などの横漏れを防止できるようにしている。
【０００４】
【発明が解決しようとする課題】
前記従来の吸収性物品に設けられた防漏側壁では、前記弾性部材が、吸収性物品の受液面とほぼ平行に延びた状態で疎水性シートに接合されているものが主であるため、装着者の股間部に装着されたときに、前記防漏側壁が幅方向の外側へ倒れるか内側に倒れるか不確定である。よって、装着中に、前記防漏側壁が吸収性物品の幅方向の内側へ倒れ込むことが頻繁に起こり得る。
【０００５】
実際に吸収性物品が装着者の股間部に装着されるときには、吸収性物品の幅方向中央部が装着者の肌側に向うように凸状に変形させられることが多い。このように変形したときに、前記防漏側壁が幅方向の内側に倒れていると、防漏側壁は吸収性物品の受液側の面に密着した状態で倒れ込んだままの状態に維持され、外側へ復元することはほとんどなくなる。
【０００６】
その結果、防漏側壁が文字通りの壁として機能できなくなり、吸収性物品の受液面に与えられた経血や尿などを前記防漏側壁で止めることができず、吸収性物品の側方への横漏れが生じやすくなる。また、防漏側壁が幅方向の内側へ倒れ込むと、この防漏側壁が吸収性物品の吸収面の上を覆うことになり、吸収性物品の液の吸収に寄与する領域の面積が狭くなる。
【０００７】
また従来の吸収性物品では、前記のように防漏側壁に設けられた弾性部材が、吸収性物品の液吸収面とほぼ平行な状態で縦方向に延びている。そのため、吸収性物品の縦方向が股間部の前後方向の形状によって湾曲させられたときに、縦方向に延びる防漏側壁が股間部の前後方向への形状に追従しづらい。よって吸収性物品の縦方向の中心部に位置する前記弾性部材が股間部または会陰部に過剰に強く当たることになり、装着者が違和感を生じやすくなる。
【０００８】
本発明は上記従来の課題を解決するものであり、股間部に装着されたときに、防漏側壁が幅方向の外側に向きやすいようにして、装着中の液の横洩れを防止するとともに、吸収領域の面積の実質的な減少も防止できるようにした吸収性物品を提供することを目的としている。
【０００９】
また本発明は、股間部に装着されて股間部の前後方向への形状に応じて縦方向へ湾曲させられたときに、防漏側壁が股間部の前記形状に追従しやすくして、防漏側壁が装着者に違和感を与えないようにした吸収性物品を提供することを目的としている。
【００１０】
【課題を解決するための手段】
本発明は、支持シートと、液吸収層と、前記液吸収層を覆う透液性シートと、受液側表面の幅方向の両側に基端が接合されて縦方向へ延び自由端が受液側表面から離れて位置する防漏側壁とが設けられている吸収性物品において、
前記防漏側壁には、前記自由端に沿って設けられて弾性収縮力を発揮する弾性材と、前記防漏側壁の縦方向の両端側から縦方向の中間位置に向かうにしたがって前記基端側から前記自由端側へ接近する収縮作用線を形成する弾性材とが設けられており、
前記防漏側壁の縦方向の両端部は、前記自由端が幅方向の外側に向けられて受液側表面に接合されていることを特徴とするものである。
【００１１】
上記本発明では、着用中に防漏側壁が肌の圧力を受けたときに、防漏側壁に対しては幅方向の外側へ倒れようとする力が作用しやすくなる。よって幅方向の中央部が肌側へ向うよう凸状に変形したときに、防漏側壁が肌に密着しやすくなり、横洩れを有効に防止できる。また防漏側壁が内側へ倒れずらいので、受液面の実質的な吸収面積を低下させることが起きにくい。
【００１２】
また本発明は、支持シートと、液吸収層と、前記液吸収層を覆う透液性シートと、受液側表面の幅方向の両側に基端が接合されて縦方向へ延び自由端が受液側表面から離れて位置する防漏側壁とが設けられている吸収性物品において、
前記防漏側壁には、前記自由端に沿って設けられて弾性収縮力を発揮する弾性材と、前記防漏側壁の縦方向の両端側から縦方向の中間位置に向かうにしたがって前記自由端側から前記基端側へ接近する収縮作用線を形成する弾性材とが設けられており、
前記防漏側壁の縦方向の両端部は、前記自由端が幅方向の外側に向けられて受液側表面に接合されていることを特徴とするものである。
【００１３】
上記本発明では、身体の股間部に装着されたときに、股間部の前後方向の湾曲形状に合うように防漏側壁が変形しやすくなり、防漏側壁と肌との密着性が向上する。また、防漏側壁が過剰に強く当たるのを防止できる。
【００１４】
ここで、前記収縮作用線は、前記縦方向に向けて湾曲していることが好ましい。ただし、前記収縮作用線は、直線またはほぼ直線状に延び前記中間位置で折れ曲がるようなほぼＶ字形状などであってもよい。
【００１５】
また、前記防漏側壁には、前記自由端に沿って前記縦方向への弾性収縮力を発揮する弾性収縮材が設けられているが、その弾性収縮力は、前記収縮作用線に設けられた弾性材の弾性収縮力より大きいことが好ましい。
【００１７】
あるいは、前記防漏側壁では、前記収縮作用線と前記基端との間で、前記縦方向に沿う弾性収縮力を発揮する他の弾性収縮手段が設けられ、前記防漏側壁は、その自由端が幅方向の外側へ向けられ、且つ前記他の弾性収縮手段を有する部分が幅方向の外側に向けられるように多重に畳まれた状態で、前記縦方向両端部に接合されているものであってもよい。
【００１８】
上記のように、縦方向両端部において、防漏側壁の自由端が外側に向けられた状態で折り畳まれていると、中間位置において防漏側壁の自由端が幅方向の外側へ向きやすくなり、装着中に前記防漏側壁が幅方向外側に向けて倒れやすく、また収縮作用線と自由端との間の部分で防漏側壁が肌に密着しやすくなる。
【００１９】
また、前記各弾性材は、防漏側壁を形成する側壁シートに取付けられた線状または帯状の弾性材である。この場合の弾性材は、縦方向に連続しているものであってもよいし、間隔を開けて間欠に設けられているものでもよい。また、非伸縮性の側壁シートに前記収縮作用線を形成する弾性部材を縫い込んだものであってもよい。
【００２０】
【発明の実施の形態】
以下、本発明について図面を参照して説明する。図１は、本発明の吸収性物品の第１の実施の形態として生理用ナプキン１を受液側から示す斜視図、図２は図１のＩＩ−ＩＩ線の断面図、図３は図２のＩＩＩ−ＩＩＩ線の部分断面図である。
【００２１】
図１ないし図３に示す生理用ナプキン１は、主として下着などの外部装着体へ対面する支持シート２と、幅方向（Ｘ方向）のほぼ中央部分の装着者側に位置して排泄液を吸収する液吸収層３と、液吸収層３の受液側表面を覆う透液性シート４を有している。前記透液性シート４の幅方向（Ｘ方向）に向く側端部４ａは、液吸収層３の側方において前記支持シート２の表面に接合されている。
【００２２】
前記生理用ナプキン１の幅方向（Ｘ方向）に向く両側部では、縦方向（Ｙ方向）に延びる対を成す防漏側壁５，５が設けられている。この実施の形態では、それぞれの防漏側壁５が１枚の側壁シート６により形成されている。
【００２３】
前記側壁シート６は、疎水性の不織布や疎水性の樹脂フィルムなどで形成されている。側壁シート６の一端部５ａは支持シート２上から透液性シート４の側端部４ａの上にわたって接合されており、側壁シート６は透液性シート４の側端部４ａの上面を基端５ｂとして支持シート２から離れる方向へ延び自由端５ｃで折り返されている。さらに支持シート２側へ戻り、前記透液性シート４の側端部４ａ上に基端５ｄが接合された状態で、側壁シート６の他端部５ｅは、前記支持シート２の上面に接合されている。よって、前記防漏側壁５は、２枚の側壁シート（不織布）６が幅方向（Ｘ方向）に重ねられた２重構造である。
【００２４】
図３に示すように、生理用ナプキン１の縦方向（Ｙ方向）の前後端部において、前記防漏側壁５は、前記基端５ｂ，５ｄの部分に折り線を設けて、二つ折りに畳まれた状態で支持シート２および／または透液性シート４上に接合されている。このとき、防漏側壁５の自由端５ｃは、幅方向（Ｘ方向）の外側に向けられた状態である。
【００２５】
前記防漏側壁５では、２枚重ねの側壁シート６と側壁シート６との間に弾性材１１が介在された状態で、この弾性材１１は前記側壁シート６と側壁シート６に接合されている。この弾性材１１により防漏側壁５に縦方向への収縮力を与える弾性収縮手段が形成され、防漏側壁５の縦方向に延びる収縮作用線Ｌ１が形成される。
【００２６】
図１および図２に示すように、この収縮作用線Ｌ１は縦方向に向けて湾曲線となっており、防漏側壁５が生理用ナプキン１の受液側から立ち上がっている部分での縦方向両端部Ｅでは、前記収縮作用線Ｌ１が前記防漏側壁５の基端５ｂに一致し、または基端５ｂに接近した位置にある。また前記防漏側壁５の縦方向の中間位置Ｃでは、前記収縮作用線Ｌ１が、防漏側壁５の自由端５ｃに接近し、あるいは自由端５ｃに一致している。
【００２７】
本発明では、前記中間位置Ｃが必ずしも防漏側壁５の立ち上がり部分の縦方向の厳密な中心位置である必要はなく、前記両端部Ｅ−Ｅの間の任意の位置に設定できる。すなわち、前記収縮作用線Ｌ１は、前記両端部Ｅ−Ｅの間において、前記両端部Ｅよりも自由端５ｃ側に位置していればよい。
【００２８】
なお、弾性材１１は、前記収縮作用線Ｌ１に沿って連続して延びるものであってもよいし、あるいは前記収縮作用線Ｌ１に沿って間隔を開けて間欠的に延びる複数の弾性材が取付けられていてもよい。
【００２９】
図２に示すように、防漏側壁５の自由端５ｃにおいては、側壁シート６の折り返し部の内側に自由端側の弾性収縮手段を形成する弾性材１２が接合されている。この弾性材１２の弾性収縮力によって、防漏側壁５の自由端５ｃにおいては、この自由端５ｃに沿って弾性収縮力を発揮する自由端側収縮作用線が形成されている。この弾性材１２も、自由端５ｃの全長に渡って連続しているものであってもよいし、あるいは自由端５ｃに沿って間隔を開けて間欠的に接合された弾性材を用いてもよい。
【００３０】
前記のように収縮作用線Ｌ１が湾曲している結果、防漏側壁５の前記両端部Ｅでは、収縮作用線Ｌ１を形成する弾性材１１と、自由端収縮作用線を形成する弾性材１２が離れており、前記中間位置Ｃでは、前記弾性材１１と弾性材１２が接近し、あるいは互いに接触し、または互いに重なり合っている。
【００３１】
また、図３に示すように、生理用ナプキン１の前後端部では、前記弾性材１１と１２が離れており、弾性材１２が設けられた部分が幅方向（Ｘ方向）の外側へ向けられ、弾性材１１が設けられた部分にて前記防漏側壁５が二つ折りに折り畳まれている。
【００３２】
前記のように、生理用ナプキン１の縦方向（Ｙ方向）の前後端部で、防漏側壁５が受液側表面に接合されているため、身体に装着していない自由状態において、前記弾性材１１および弾性材１２の弾性収縮力により、生理用ナプキン１は縦方向（Ｙ方向）に向けて受液側が凹状になるように湾曲し、また防漏側壁５は自由端５ｃが支持シート２から離れるように立ち上がる。なお、図３に示すように、前後端部では防漏側壁５が自由端５ｃが外向きとなるように倒されて接合されているので、防漏側壁５の立ち上がり部分（前記端部Ｅと端部Ｅとの間の部分）では、自由端５ｃが基端５ｂ，５ｄに対して幅方向の外側へ向くように、防漏側壁５，５は斜めの向きに立ち上がる。
【００３３】
なお、防漏側壁５の立ち上がり部分（前記端部Ｅと端部Ｅとの間の部分）における各位置において、収縮作用線Ｌ１を形成している弾性材１１の収縮張力のＹ方向への分力よりも、自由端５ｃ側に設けられている前記弾性材１２が発揮する収縮張力の方が大きいことが好ましい。このように構成すると、身体に装着していない自由状態において、前記防漏側壁５の自由端５ｃが前記収縮作用線Ｌ１が作用している部分よりも支持シート２から離れるようになり、収縮作用線Ｌ１と自由端５ｃとの間の部分が、幅方向の外側へ向けて支持シート２から離れるように傾斜しやすくなる。
【００３４】
図１および図２に示すように、前記生理用ナプキン１では、自由状態において、各防漏側壁５，５は、幅方向の外側に向けて傾斜した状態で立ち上がり、しかも収縮作用線Ｌ１が両端部Ｅ，Ｅで基端５ｂ側に位置し中間位置Ｃで自由端５ｃ側へ向くように湾曲している。よって、自由状態において、防漏側壁５は股間部の形状に合う三次元立体構造となる。
【００３５】
図１１は、生理用ナプキン１が身体の股間部に装着されている状態を示す断面図である。生理用ナプキンが股間部に装着されると、防漏側壁５の自由端５ｃの部分および収縮作用線Ｌ１が形成されている領域が肌に当たり、下着などの外部装着体からの圧力により、前記部分に支持シート２の方向への圧力が作用する。このとき、防漏側壁５が立ち上がっている部分では、収縮作用線Ｌ１の湾曲形状により、防漏側壁５に対して幅方向の外側へ互いに離れる方向への倒れ力が作用しやすくなる。
【００３６】
また、生理用ナプキン１が股間部に装着された状態では、幅方向の中央部分に外部装着体の圧力が大きく作用するので、生理用ナプキン１は幅方向の中央が身体の肌の方向へ向く凸形状に変形しやすくなる。このような変形状態において、前記防漏側壁５，５は、液吸収層３側へ倒れにくく、図１１に示すように幅方向の外側へ倒れやすくなる。よって防漏側壁５，５が生理用ナプキンの液吸収面に倒れ込んで液吸収面の実質的な面積を減少させることがない。
【００３７】
また防漏側壁５は幅方向の外側へ倒れた状態において、湾曲している収縮作用線Ｌ１と自由端５ｃとの間の部分が密着しやすくなる。そのため、防漏側壁５と肌との密着性を高め、横洩れ効果を高く維持することができる。
【００３８】
図４は、本発明の前記第１の実施の形態の変形例による生理用ナプキン１Ａを示す図２と同様の断面図、図５は図４のＶ−Ｖ線の拡大断面図である。
【００３９】
図４と図５に示すものでは、防漏側壁５Ａを形成する側壁シート６が自由端５ｃで折り返されて２層構造となっている点、および湾曲した収縮作用線Ｌ１を形成する弾性材１１および自由端５ｃに沿う弾性材１２が設けられている点において、図２に示す実施の形態と一致している。
【００４０】
ただし、図５に示すように生理用ナプキン１Ａの前後端部における防漏側壁５Ａの折り畳み構造が図３に示すものと相違している。
【００４１】
この実施の形態では、前記前後端部において、防漏側壁５Ａが３つの折り線で折られた状態で畳まれて透液性シート４の上面に接合されている。この場合も自由端５ｃは幅方向の外側へ向けられている。
【００４２】
前後端部において防漏側壁５Ａが３つの折り線で折り畳まれているため、身体に装着されていない自由状態では、防漏側壁５Ａが立ち上がっている部分において、基端５ｂと収縮作用線Ｌ１との間の部分の側壁シート６が、図２に示すものに比べて、透液性シート４から垂直に近い角度で立ち上がりやすくなる。よって、身体に装着されたときに、湾曲している収縮作用線Ｌ１の部分が優先的に当たりやすくなる。
【００４３】
図６は前記第１の実施の形態のさらに他の変形例による生理用ナプキン１Ｂを示す図２と同等の断面図、図７は図６のＶＩＩ−ＶＩＩ線の拡大断面図である。
【００４４】
この生理用ナプキン１Ｂでは、前後端部における防漏側壁５Ｂの折り畳み構造が、図５に示すものと同じである。
【００４５】
ただし、図６と図７に示す生理用ナプキン１Ｂでは、前記湾曲作用線Ｌ１を形成する弾性材１１と基端５ｂとの間に、さらに他の弾性材１３が接合されて縦方向に収縮力を発揮する中間側の弾性収縮手段が形成されている。この弾性収縮手段により、収縮作用線Ｌ１と基端５ｂとの間に、縦方向へ向けて自由端５ｃとほぼ平行に延びる中間側の収縮作用線Ｌ２が形成されている。
【００４６】
また図７に示すように、生理用ナプキン１Ｂの前後端部では、弾性材１３が設けられている部分が、自由端５ｃと同様に幅方向の外側に向けられた状態で、防漏側壁５Ｂが折り畳まれている。
【００４７】
この実施の形態では、図６に示すように、自由状態での防漏側壁５Ｂが立ち上がっている部分において、弾性材１３が設けられている部分が、収縮作用線Ｌ１および基端５ｂよりも幅方向の外側に位置するジグザク断面形状となっている。
【００４８】
したがって、基端５ｂから収縮作用線Ｌ１が形成されている部分までの立ち上がり壁が、透液性シート４上にて垂直に近い角度で立ち上がりやすくなっており、身体の股間部に装着されたときに、収縮作用線Ｌ１の部分が当たりやすく、また収縮作用線Ｌ１と自由端５ｃとの間の領域が密着しやすくなる。
【００４９】
図８は本発明の第２の実施の形態の生理用ナプキン１Ｃを示す斜視図、図９は図８のＩＸ−ＩＸ線断面図、図１０は図９のＸ−Ｘ線断面図である。
【００５０】
図８ないし図１０に示す生理用ナプキン１Ｃは、支持シート２、液吸収層３、透液性シート４、防漏側壁５Ｃを構成する側壁シート６の折り畳み構造などが、図２に示すものと同じであり、また生理用ナプキン１Ｃの前後端部における防漏側壁５Ｃの折り畳み構造も図３に示すものと同じである。
【００５１】
図８以下に示す生理用ナプキン１Ｃにおいても、自由端５ｃに沿う弾性材１２が設けられている。ただし、自由端５ｃと基端５ｂとの間に設けられている弾性材１４により形成される収縮作用線Ｌ３は、防漏側壁５Ｃが立ち上がり部分での縦方向両端部Ｅにおいて、自由端５ｃ側に位置し、中間位置Ｃに向けて基端５ｂ側へ徐々に接近する湾曲形状である。
【００５２】
すなわちこの収縮作用線Ｌ３は、中間位置Ｃ側において両側端部Ｅよりも基端５ｂ側へ接近するものであり、図１に示した生理用ナプキン１とは逆向きの湾曲形状である。
【００５３】
また前記両側端部Ｅにおいては弾性材１４が自由端５ｃの弾性材１２に接近し、または接触し、あるいは重なっており、中間領域Ｃでは、弾性材１４が基端５ｂに接近しまたは基端５ｂと重なっている。
【００５４】
前記弾性材１４は収縮作用線Ｌ３の全長に沿って設けられたものであってもよいし、前記収縮作用線Ｌ３に沿って間隔を開けて間欠的に設けられた弾性材１４を用いてもよい。また自由端５ｃ側の弾性材１２の収縮張力は弾性材１４の収縮張力よりも大きいことが好ましい。
【００５５】
この生理用ナプキン１Ｃでは、収縮作用線Ｌ３が中間位置Ｃで透液性シート４側へ沈むような凹湾曲形状となった状態で、防漏側壁５Ｃ，５Ｃが立ち上がる。
【００５６】
よって、図１２に示すように、股間部に装着された状態では、防漏側壁５Ｃ，５Ｃが、股間部での前後方向への湾曲形状にほぼ一致した、三次元立体形状となりやすい。
【００５７】
身体の股間部に装着されたときに、収縮作用線Ｌ３と自由端５ｃとの間の部分の防漏側壁が、股間部の前後方向の長い範囲で肌に密着しやすくなる。特に中間位置Ｃにおいては、収縮作用線Ｌ３と自由端５ｃとの幅が大きいため、この幅の大きい部分が密着しやすい状態である。そのため防漏側壁５Ｃ，５Ｃによって、横洩れを有効に防止できるようになる。
【００５８】
また、前記各実施の形態において、防漏側壁の基端５ｂから自由端５ｃまでの幅寸法は５ｍｍ以上で２０ｍｍ以下であることが好ましい。
【００５９】
前記側壁シート６は疎水性または撥水性であり、メルトブロン不織布、エアースルー不織布、ポイントボンド不織布、エアレイド不織布、スパンボンド不織布とメルトブロン不織布との貼り合わせ複合不織布などである。あるいは、樹脂フィルムや不織布と樹脂フィルムとのラミネート材であってもよい。不織布の場合、ＰＥ、ＰＰ、ＰＥＴ繊維、またはＰＥ／ＰＰ、ＰＥ／ＰＥＴなどの芯鞘型やサイドバイサイド型の複合合成繊維により形成されている。
【００６０】
前記防漏側壁に取付けられる前記弾性材１１，１２，１３，１４は、天然ゴム、合成ゴム、ポリウレタン、スチレン−ブタジエン共重合体から形成でき、その形状としては、糸状、フィラメント状、フィルム状、帯状（ベルト状）などの形態を取り得る。またはエラスチックスパンボンド不織布やエラスチックメルトブロン不織布などの伸縮性不織布から切断したものなども使用可能である。
【００６１】
各弾性材１１，１２，１３，１４は、１．１〜２倍程度伸長させた状態で、接着剤等で防漏側壁５に取付けられて生理用ナプキン１に接合されている。
【００６２】
支持シート２は不透液性のシートで形成されることが好ましい。この支持シート２は、通気性の樹脂フィルム、撥水処理されたスパンボンドまたはスパンレースなどの不織布、あるいは不織布の裏面に通気性の樹脂フィルムが接合されたものである。なお支持シート２の裏面には、下着などの外部装着体などに掛止させるための粘着層が設けられ、生理用ナプキンの使用時まで粘着層を保護するための離型紙が設けられることが好ましい。
【００６３】
前記透液性シート４は、親水処理されたＰＥ繊維、ＰＰ繊維、ＰＥＴ繊維、またはこれらの複合繊維などで形成された不織布であり、スパンボンド不織布、スパンレース不織布などである。あるいは開孔処理が施された樹脂シートである。
【００６４】
液吸収層３は、粉砕パルプあるいは粉砕パルプと高吸水性ポリマーの混合物などにより形成され、粉砕パルプあるいは粉砕パルプと高吸水性ポリマーとの混合物がティッシュなどの吸収性シートで包まれたものである。
【００６５】
以上、本発明の吸収性物品が生理用ナプキンである実施例について述べたが、本発明の吸収性物品は使い捨ておむつ、尿吸収パッドや他の吸収性物品にも適用可能である。
【００６６】
【発明の効果】
以上詳述した本発明によれば、身体の股間部に装着されたときに、防漏側壁が外側へ倒れやすく、肌に密着しやすい。または、股間部の前後方向への湾曲形状に応じて防漏側壁が変形しやすくなって、防漏側壁が密着しやすくなる。また防漏側壁が肌に強く当たりにくく、装着感に優れる。
【図面の簡単な説明】
【図１】本発明の吸収性物品の第１の実施の形態として生理用ナプキンを示す斜視図、
【図２】図１に示す生理用ナプキンのＩＩ−ＩＩ線の断面図、
【図３】図２のＩＩＩ−ＩＩＩ線の部分断面図、
【図４】図１に示す生理用ナプキンの変形例を示す断面図、
【図５】図４のＶ−Ｖ線の部分断面拡大図、
【図６】さらに他の変形例を示す断面図、
【図７】図６のＶＩＩ−ＶＩＩ線の拡大断面図、
【図８】本発明の第２の実施の形態の生理用ナプキンを示す斜視図、
【図９】図８のＩＸ−ＩＸ線の断面図、
【図１０】図９のＸ−Ｘ線の部分断面図、
【図１１】生理用ナプキンが装着されている幅方向の状態を示す断面図、
【図１２】生理用ナプキンが装着されている縦方向の状態を示す断面図、
【符号の説明】
１，１Ａ，１Ｂ，１Ｃ  生理用ナプキン（吸収性物品）
２  支持シート
３  液吸収層
４  透液性シート
５  防漏側壁
５ｂ，５ｄ  基端
５ｃ  自由端
６  側壁シート
１１  収縮作用線Ｌ１を形成する弾性材
１２  自由端側に設けられた弾性材
１３  中間の弾性材
１４  収縮作用線Ｌ３を形成する弾性材
【図１】
0003847046.tif 000002
【図２】
0003847046.tif 000003
【図３】
0003847046.tif 000004
【図４】
0003847046.tif 000005
【図５】
0003847046.tif 000006
【図６】
0003847046.tif 000007
【図７】
0003847046.tif 000008
【図８】
0003847046.tif 000009
【図９】
0003847046.tif 000010
【図１０】
0003847046.tif 000011
【図１１】
0003847046.tif 000012
【図１２】
0003847046.tif 000013